(57)【要約】【課題】同じ表現が繰り返し用いられる画像データに対し処理を施して読みやすい画像データを得ることにある。【解決手段】複合機１の画像処理部１０は、画像データに対し所定の処理を施すためのものであって、文字列認識部３と、検索部４と、変換部６とを備えている。文字列認識部３は、画像データに含まれる文字列を認識する。検索部４は、文字列認識部３により認識された画像データ内の文字列から２回以上繰り返される第１文字列を検索する。変換部６は、検索部４により第１文字列が検索された場合に、第１文字列を第１文字列よりも短い第２文字列に変換する。【選択図】図１
2007158453.tif 000002
【特許請求の範囲】
【請求項１】
画像データに対し所定の処理を施すための画像処理装置であって、
前記画像データに含まれる文字列を認識する文字列認識手段と、
前記文字列認識手段により認識された前記画像データ内の文字列から２回以上繰り返される第１文字列を検索する検索手段と、
前記検索手段により前記第１文字列が検索された場合に、前記第１文字列を前記第１文字列よりも短い第２文字列に変換する変換手段と、
を備えた画像処理装置。
【請求項２】
前記第１文字列が繰り返される回数をカウントする回数カウント手段を更に備え、
前記変換手段は、前記第１文字列のうち、前記回数カウント手段により所定の回数以上カウントされた文字列を前記第２文字列に変換する、
請求項１に記載の画像処理装置。
【請求項３】
前記第１文字列の文字数をカウントする文字数カウント手段を更に備え、
前記変換手段は、前記第１文字列のうち、前記文字数カウント手段によりカウントされた文字数が所定の数以上である文字列を前記第２文字列に変換する、
請求項１に記載の画像処理装置。
【請求項４】
前記検索手段は、前記第２文字列を含む画像データにおいてなお２回以上繰り返される第３文字列を更に検索し、
前記変換手段は、前記検索手段により前記第３文字列が更に検索された場合に、前記第３文字列を前記第３文字列よりも短い第４文字列に更に変換する、
請求項１から３のいずれかに記載の画像処理装置。
【請求項５】
前記変換手段による変換が行われた画像データを、前記第２文字列を前記第１文字列と対応づけて出力可能な出力手段を更に備えた、請求項１〜４のいずれかに記載の画像処理装置。
【請求項６】
原稿を読み取って前記画像データを取得するための原稿読み取り手段をさらに備えた、請求項１から５のいずれかに記載の画像処理装置。
【請求項７】
請求項１から５のいずれかに記載の画像処理装置と、
前記画像処理装置の変換手段により前記第１文字列の前記第２文字列への変換が行われた画像データを基に転写材に対し画像形成可能な画像形成手段と、
を備えた画像形成装置。
【請求項８】
画像データに対し所定の処理を施すための画像処理装置のコンピュータにおいて実行される前記画像処理プログラムであって、
前記コンピュータを、
前記画像データに含まれる文字列を認識する文字列認識手段と、
前記文字列認識手段により認識された前記画像データ内の文字列から２回以上繰り返される第１文字列を検索する検索手段と、
前記検索手段により前記第１文字列が検索された場合に、前記第１文字列を前記第１文字列よりも短い第２文字列に変換する変換手段と、
して機能させる画像処理プログラム。
【請求項９】
画像データに対し所定の処理を施すための画像処理方法であって、
前記画像データに含まれる文字列を認識する文字列認識ステップと、
前記文字列認識ステップにおいて認識された前記画像データ内の文字列から２回以上繰り返される第１文字列を検索する検索ステップと、
前記検索ステップにおいて前記第１文字列が検索された場合に、前記第１文字列を前記第１文字列よりも短い第２文字列に変換する変換ステップと、
を含む画像処理方法。
【発明の詳細な説明】
【技術分野】
【０００１】
本発明は、画像処理装置、画像形成装置、画像処理プログラム、及び画像処理方法に関する。
【背景技術】
【０００２】
例えば、スキャナ機能を有する画像処理装置において、読み取った原稿に含まれる文字列を認識可能な文字認識手段を備えたものが知られている。文字認識手段としては、光学式文字認識装置（ＯＣＲ）等が挙げられる。また、スキャナ機能を有しない画像処理装置においても、装置自身が作成した画像データに含まれる文字列を文字認識可能なものが知られている。
【０００３】
この種の画像処理装置を利用した技術として、例えば、下記特許文献１に示すものが知られている。この技術では、有価証券等の偽造を防止すべく、例えば、有価証券に含まれる所定の文字列が予め記憶され、読み取られた原稿において記憶された文字列と同じ文字列が認識された場合は、その原稿の画像データの出力が禁止されるようになっている。
【０００４】
ところで、文書データのように多数の文字列を含む画像データでは、特定の用語など同じ表現が繰り返し表れる場合が多い。このため、繰り返される表現が長かったり、その意味内容が専門的であったりする場合は、読みづらく感じられることがある。
【特許文献１】特開平８−１９４４１２号公報
【発明の開示】
【発明が解決しようとする課題】
【０００５】
本発明の目的は、同じ表現が繰り返し用いられる画像データに対し処理を施して読みやすい画像データを得ることにある。
【課題を解決するための手段】
【０００６】
請求項１に記載の画像処理装置は、画像データに対し所定の処理を施すための装置であって、文字列認識手段と、検索手段と、変換手段とを備えている。文字列認識手段は、画像データに含まれる文字列を認識する。検索手段は、文字列認識手段により認識された画像データ内の文字列から２回以上繰り返される第１文字列を検索する。変換手段は、検索手段により第１文字列が検索された場合に、第１文字列を第１文字列よりも短い第２文字列に変換する。
【０００７】
この装置では、画像データにおいて繰り返し用いられる第１文字列が検索されると、検索された第１文字列はより短い第２文字列に変換される。これにより、変換後の画像データ内の文字列の長さが元の画像データ内の文字列に比して短くなり、出力された画像データが見易くなる。
【０００８】
なお、本発明において、文字列を構成する文字には、記号、数字等も含まれる。第１文字列の文字数は、２つ以上であれば良く、また、第２文字列の文字数は、複数であっても、１つのみであっても良い。また、画像データは、後述する原稿読み取り手段により読み取られたものであっても良く、所定の記憶手段において記憶されたものであっても良い。さらに、画像処理装置は、複写機、ファクシミリ装置、スキャナ装置のようにスキャナ機能を有するものであっても良く、また、パーソナルコンピュータ（ＰＣ）、オフィスコンピュータ等の情報処理装置のようにスキャナ機能を有しないものであっても良い。
【０００９】
請求項２に記載の画像処理装置は、請求項１の装置において、第１文字列が繰り返される回数をカウントする回数カウント手段を更に備えている。変換手段は、第１文字列のうち、回数カウント手段により所定の回数以上カウントされた文字列を第２文字列に変換する。
【００１０】
この装置では、例えば所定の回数が“４”である場合は、画像データ内において繰り返される回数が“３”や“２”である文字列は第２文字列に変換されず、“４”以上である文字列に限って短縮された第２文字列に変換される。これにより、原稿中に高い頻度で現れる文字列を短縮化して見易い画像データを得ることができる。
【００１１】
請求項３に記載の画像処理装置は、請求項１の装置において、第１文字列の文字数をカウントする文字数カウント手段を更に備えている。変換手段は、第１文字列のうち、文字数カウント手段によりカウントされた文字数が所定の数以上である文字列を第２文字列に変換する。
【００１２】
この装置では、例えば所定の数が“３”である場合は、文字数が“２”や“１”である文字列は第２文字列に変換されず、文字数が“３”以上の文字列に限ってより短縮された第２文字列に変換される。これにより、文字数が多い文字列を短縮化して見やすい画像データを得ることができる。
【００１３】
請求項４に記載の画像処理装置は、請求項１から３のいずれかの装置において、検索手段は、第２文字列を含む画像データにおいてなお２回以上繰り返される第３文字列を更に検索する。変換手段は、検索手段により第３文字列が更に検索された場合に、第３文字列を第３文字列よりも短い第４文字列に更に変換する。
【００１４】
この装置では、最初の変換によって得られた第２文字列を含む画像データになお繰り返される文字列が含まれる場合に、検索された文字列がより短い第４文字列に変換されるので、画像データ内の文字列が更に短縮化される。従って、文字数が少なく見易い画像データを得ることができる。また、このような処理を繰り返すことで、含まれる文字列が最も短く変換された非常に見易い画像データを得ることができる。
【００１５】
なお、第３文字列の文字数は、２つ以上であれば良く、また、第４文字列の文字数は、複数であっても、１つのみであっても良い。
【００１６】
請求項５に記載の画像処理装置は、請求項１から４のいずれかの装置において、変換手段による変換が行われた画像データを、第２文字列を第１文字列と対応づけて出力可能な出力手段を更に備えている。
【００１７】
この装置によれば、変換後の文字列が変換前の文字列と対応づけて出力されるので、短縮化された変換後の画像データについて、内容を容易に理解することができる。
【００１８】
なお、出力の態様としては、所定の表示手段への表示であっても良く、また、後述する画像形成手段による転写材への画像形成であっても良い。
【００１９】
請求項６に記載の画像処理装置は、請求項１から５のいずれかの装置において、原稿を読み取って画像データを取得するための原稿読み取り手段をさらに備えている。
【００２０】
この装置では、文字列を多く含む文書等の原稿を読み取って取得される画像データを用いて、読みやすい画像データを得ることができる。
【００２１】
請求項７に記載の画像形成装置は、請求項１から５のいずれかに記載の画像処理装置と、画像形成手段とを備えている。画像形成手段は、画像処理装置の変換手段により第１文字列の第２文字列への変換が行われた画像データを基に転写材に対し画像形成可能である。
【００２２】
この装置では、上記のような変換処理の行われた画像データを用紙等の転写材に出力して、見易い印刷物を得ることができる。
【００２３】
請求項８に記載の画像処理プログラムは、画像データに対し所定の処理を施すための画像処理装置のコンピュータにおいて実行される画像処理プログラムであって、コンピュータを、文字列認識手段と、検索手段と、変換手段として機能させる。文字認識手段は、画像データに含まれる文字列を認識する。検索手段は、文字列認識手段により認識された画像データ内の文字列から２回以上繰り返される第１文字列を検索する。変換手段は、検索手段により第１文字列が検索された場合に、第１文字列を第１文字列よりも短い第２文字列に変換する。
【００２４】
このプログラムが画像処理装置のコンピュータに実行されると、画像データにおいて繰り返し用いられる第１文字列が検索され、検索された第１文字列はより短い第２文字列に変換される。これにより、変換された画像データ内の文字列の長さが元の画像データ内の文字列に比して短くなり、出力された画像データが見易くなる。
【００２５】
請求項９に記載の画像処理方法は、画像データに対し所定の処理を施すための方法であって、文字列認識ステップと、検索ステップと、変換ステップとを含む。文字列認識ステップでは、画像データに含まれる文字列を認識する。検索ステップでは、文字列認識ステップにおいて認識された画像データ内の文字列から２回以上繰り返される第１文字列を検索する。変換ステップでは、検索ステップにおいて第１文字列が検索された場合に、第１文字列を第１文字列よりも短い第２文字列に変換する。
【００２６】
この方法によれば、画像データにおいて繰り返し用いられる第１文字列が検索され、検索された第１文字列はより短い第２文字列に変換されるので、変換後の画像データ内の文字列の長さが元の画像データ内の文字列に比して短くなり、出力された画像データが見易くなる。
【発明の効果】
【００２７】
本発明によれば、変換後の画像データ内の文字列の長さが元の画像データ内の文字列に比して短くなり、出力された画像データが見易くなる。従って、この画像処理装置を用いるユーザの利便性が高まる。
【発明を実施するための最良の形態】
【００２８】
＜第１実施形態＞
（１）構成
以下より、本発明の第１実施形態に係る複合機１について説明する。この複合機１は、複写機、プリンタ、ファクシミリ装置及びスキャナ装置としての機能を併せ持つ。複合機１は、原稿読み取り部２，文字列認識部３、検索部４、回数カウント部５、変換部６及び記憶部７を備えた画像処理部１０と、画像形成部８とを含む。
【００２９】
（１−１）原稿読み取り部
原稿読み取り部２は、図示しない原稿載置台に載置された原稿を読み取って画像データを取得する。そして、原稿読み取り部２は、取得した画像データを文字列認識部３へ出力する。
【００３０】
（１−２）文字列認識部
文字列認識部３は、原稿読み取り部２が取得した画像データに含まれる文字データを抽出し、２文字以上連続して抽出されたものを文字列として認識する。ここで認識された文字列は、画像データと共に検索部４へ出力される。なお、文字列認識部３に出力される画像データとしては、原稿読み取り部２で取得されたもののほか、画像処理部１０自身によって作成され、記憶部６に記憶されたもの等も含まれる。
【００３１】
（１−３）検索部
検索部４は、文字列認識部３によって認識された画像データ内の文字列の中から、２回以上繰り返される文字列を検索する。例えば、画像データ内に“複写機”との文字列が５カ所に含まれている場合に、検索部４は、画像データにおいて最初の“複写機”の文字列が表れると、それ以後にも“複写機”の文字列が表れるか否かを判断し、５カ所において文字列“複写機”が表れたことを判断して検索を終了するとともに、判断結果とともに画像データを変換部６へ出力する。
【００３２】
尚、本実施形態では、２回以上繰り返される文字列がそれぞれ異なった色や書体を有している場合であっても、検索部４は同一の文字列であると判断する場合を例にとる。
【００３３】
（１−４）回数カウント部
回数カウント部５は、画像データ内において繰り返される文字列の繰り返し回数をカウントする。以下、画像データ内での同じ文字列の繰り返し回数を“登場回数”と称する。例えば、上記のように、検索部４により画像データ内において文字列“複写機”が５回表れたことが検索されると、回数カウント部５は、文字列“複写機”の登場回数を“５”とする。そして、回数カウント部５は、繰り返される各文字列毎に、このような登場回数のカウントを行う。回数カウント部５は、カウントした各文字列の登場回数を、変換部６へ出力する。
【００３４】
（１−５）変換部
変換部６は、検索部４による検索の結果、画像データ内に２回以上繰り返される文字列がある場合であって、且つこの文字列の登場回数が所定の回数以上である場合は、この文字列を、より文字数の少ない文字列に変換する。そして、変換部６は、変換後の画像データを記憶部７に保存し、複写等が指示された場合はさらに画像形成部８へ出力する。
【００３５】
例えば、所定の回数が“３”である場合は、上記のように回数カウント部５によりカウントされた登場回数がこれを超えているため、画像データ内の文字列“複写機”は、全て文字“(10)”に変換する。
【００３６】
また、変換後の画像データにおいて検索部４がなお繰り返し表れる文字列を検索すると、変換部６は、その文字列を更により短い文字列に変換する。そして、変換部６は、このような変換処理を、それ以上繰り返し表れる文字列が画像データにおいて検索されなくなるまで続ける。
【００３７】
そして、変換部６は、変換処理を行った画像データを、後述する記憶部７内の変換内容テーブル７ａ内に記録する。上記の例の場合では、文字列“複写機”を文字“(10)”に変換したことを、変換内容テーブル７ａに書き込む。
【００３８】
（１−６）記憶部
記憶部７は、変換部６により変換された内容が書き込まれた変換内容テーブル７ａを記憶している。変換内容テーブル７ａは、図２に示すように、変換前の文字列と、変換後の文字とを１レコードとして記憶している。例えば、変換前の“設定”との文字列に対しては、変換後の文字“(2)”とが対応づけて記憶されている。
【００３９】
また、記憶部７は、画像データを保存するためのハードディスクドライブ装置（ＨＤＤ）を有している。ＨＤＤには、原稿読み取り部２で読み取られ取得された画像データが保存される。
【００４０】
なお、複合機１は、ＣＰＵを含むマイクロコンピュータで構成される制御部を備えており、記憶部７には、原稿読み取り部２及び画像形成部８等の入出力部を制御するための制御プログラムのほか、制御部を、文字列認識部３、検索部４、回数カウント部５及び変換部８として実現させるための画像処理プログラムが格納されている。
【００４１】
（１−７）画像形成部
画像形成部８は、図示しない給紙カセット等に収納された用紙に対し画像形成を行うためのものであり、図示しない感光体ドラムと、感光体ドラムの周囲に配置された主帯電装置、露光器、現像装置、転写装置及びクリーニング装置等を有している。画像形成部８は、変換部６において変換処理が行われた画像データを取得すると、記憶部７に記憶された変換内容テーブル７ａから変換内容を読み出して、取得した変換後の画像データを基に用紙に対し印字を行うとともに、読み出した変換内容に基づいて、変換前の文字列を、例えば図７において「＜各番号が対応している文字列＞」の欄に示すように、変換後の文字と対応づけて出力する。
【００４２】
また、複合機１は、給紙カセット等に収納された用紙を画像形成部８に給紙するための給紙部や、画像形成部８において画像形成の行われた用紙を排出するための排紙部（共に図示せず）等をさらに備えている。
【００４３】
（２）動作
以下より、図３〜７を用いて、複合機１の動作を説明する。図３は、複合機１の動作フローチャートである。図４〜７は、図３の各動作における画像データ例である。ここでは、所定の回数が“３”である場合を例に説明する。
【００４４】
ステップＳ１：複合機１の原稿載置台に、複写しようとする原稿が載置され、複写が指示されると、原稿読み取り部２により、原稿の画像情報が読み取られて画像データを取得され、文字列認識部３に出力される。ここでは、図４に示すような画像データが取得されたものとして説明する。
【００４５】
ステップＳ２：文字列認識部３は、原稿読み取り部２から画像データを取得すると、画像データ内に文字列があるか否かを判断する。
【００４６】
ステップＳ３：ステップＳ２において、文字列認識部３が画像データ内から文字列を認識した場合、検索部４は、画像データ内の文字列のうち繰り返し表れる文字列を検索する。また、回数カウント部５は、検索部４により検索された文字列の登場回数をカウントする。
【００４７】
ステップＳ４：変換部６は、検索部４の検索結果及び回数カウント部５の登場回数に基づいて、検索された文字列の登場回数が所定の回数“３”以上であるか否かを判断する。
【００４８】
ステップＳ５：ステップＳ４において、検索された文字列の登場回数が所定の回数“３”以上であると判断された場合は、変換部６は、この文字列をより短い文字列に変換する。
【００４９】
ステップＳ６：変換部６は、記憶部７の変換内容テーブル７ａ内に変換内容を記録する。
【００５０】
ステップＳ７：検索部４は、ステップＳ５において変換処理が施された後の画像データ内に、変換後の第２文字列を含めて更に繰り返された文字列があるか否かを検索する。なお、検索が終了すると、ステップＳ４に戻り、更に繰り返し表れる文字列が３回以上あった場合は、ステップＳ５に移行するとともに、２回以下しかなかった場合は、ステップＳ８に移行する。このようにして、複合機１は、３回以上表れる文字列が検索されなくなるまで、ステップＳ４乃至Ｓ７の処理が繰り返される。
【００５１】
ステップＳ８：ステップＳ４において繰り返し表れる文字列の登場回数が２回以下であると判断された場合は、ステップＳ７において変換処理がされている場合は記憶部７内の変換内容テーブル７ａから“変換前の文字列”及び“変換後の文字”が読み出されて、画像形成部８において用紙に出力されるとともに（ここで出力される画像データの例をを図７に示す）、ステップＳ７において一度も変換処理が施されなかった場合は、ステップＳ１で読み取られた画像データがそのまま出力される。
【００５２】
ステップＳ９：ステップＳ２において文字列認識部３により文字列が認識されなかった場合は、画像形成部８は、ステップＳ１において読み取った画像データをそのまま出力する。即ち、ここで出力される画像データの例を図４に示す。
【００５３】
（３）効果
この複合機１によれば、原稿において繰り返し表れる文字列がある場合は、より短い文字列に変換されて出力されるので、出力された用紙において、見易く、内容の理解が容易になる。
【００５４】
また、複合機１によれば、画像データ内における登場回数が所定の回数以上である文字列を変換対象しているので、原稿中に高い頻度で現れる文字列を短縮化して見易い印刷物を得ることができる。
【００５５】
更に、複合機１によれば、変換前の文字列と変換後の文字とが対応づけて出力されるので、変換された後の表現が変換前のどの文字列に対応しているのかを知ることができる。
【００５６】
尚、本実施形態では、画像データ内での登場回数が所定の回数以上である文字列を変換対象とする条件を設けているが、この条件は設けずともよい。この場合、変換部６は、登場回数が２回以上の文字列全てを変換対象とする。
【００５７】
＜第２実施形態＞
（１）構成
次に、本発明の第２実施形態に係る複合機１０１の構成について説明する。図８は、第２実施形態に係る複合機１０１の構成図である。図８の複合機１０１は、第１実施形態に係る複合機１の構成に加え、更に文字数カウント部１０９を含む。即ち、複合機１０１は、原稿読み取り部１０２、文字列認識部１０３、検索部１０４、回数カウント部１０５、変換部１０６、記憶部１０７及び文字数カウント部１０９を備えた画像処理部１１０と、画像形成部１０８とを含む。
【００５８】
文字数カウント部１０９は、画像データ内に２回以上繰り返される文字列の文字数をカウントする。例えば、画像データ内において繰り返される文字列“複写機の縮倍率”が検索部１０４により検索されたとする。文字数カウント部１０９は、文字列“複写機の縮倍率”の文字数をカウントし、カウントした結果“７”を、変換部１０６に出力する。
【００５９】
尚、文字数カウント部１０９以外のその他の構成については、第１実施形態の複合機１と同様であるため、説明を省略する。
【００６０】
（２）動作
次いで、本実施形態の複合機１０１の動作について説明する。図９は、第２実施形態に係る複合機１０１の動作フローチャートである。本実施形態の複合機１０１の動作は、第１実施形態に係る複合機１の動作に加え、文字数カウント部１０９による処理が加えられている。ここでは、第１実施形態の複合機１の動作と異なる処理に注目して、簡単に説明する。尚、本実施形態では、所定の回数を特には設けず、画像データ内において２回以上表れる文字列全てを変換対象とする場合の動作について説明する。
【００６１】
原稿読み取り部１０２が原稿を読み取って画像データを取得すると（Ｓ１０１）、文字列認識部１０３は画像データ内から文字列を認識する（Ｓ１０２）。検索部１０４は、認識された文字列内から２回以上繰り替えされた文字列を検索する（Ｓ１０３）。検索の結果２回以上繰り返された文字列がある場合、文字数カウント部１０９は検索の結果ヒットした文字列の文字数をカウントし、変換部１０６に出力する。ここで、変換部１０６が所定の文字数“３”を記憶しているとする。変換部１０６は、文字数カウント部１０９から取得した文字数が所定の文字数“３“以上を満たす場合は（Ｓ１０４）、その文字列をより短い文字列に変換する（Ｓ１０５〜１０７）。取得した文字数が、所定の文字数“３”未満の場合は、変換部１０６はその文字列を変換せずに出力される（Ｓ１０８）。
【００６２】
（３）効果
本実施形態に係る複合機１０１によれば、文字数が多く複雑な文字列が繰り返し表れる原稿から、そのような文字列が短縮化されて出力された見易い印刷物を得ることができる。
【００６３】
＜その他の実施例＞
（Ａ）
第１実施形態の複合機１における画像形成部８は、図７に示すように、変換後の画像データの下部に“変換前の文字列”と“変換後の文字”とを対応づけて出力しているが、変換前の文字列と変換後の文字列とが対応づけて出力されていれば、他の出力形態であってもよい。図１０は、変換後に出力される画像データの他の例を示す。図１０では、画像データ内における変換後の各文字のうち最初に表れる文字のすぐ後ろに、変換前の文字列が対応づけて出力されている。
【００６４】
（Ｂ）
第１実施形態及び第２実施形態では、変換前の文字列と変換後の文字列とを対応づけた情報を出力しているが、この情報は出力せずともよい。即ち、画像処理装置は、少なくとも変換後の画像データのみを出力してればよい。例えば、原稿内に含まれる文字列を推測できない程度に短縮化された文字列に変換し、変換後の画像データのみを出力することで、元の文字列が個人情報等である場合に、そのような情報を保護することができる。
【００６５】
（Ｃ）
変換処理された画像データの出力は、第１及び第２実施形態のように画像形成部による用紙への画像形成に代えて、画像形成装置に設けられた表示部（例えば操作パネルの表示画面）への表示により行われても良い。本発明は、画像形成手段を有しない画像処理装置（上記実施形態の画像処理部に相当）にも適用可能であるが、例えば、そのような画像処理装置における出力態様として採用できる。
【００６６】
（Ｄ）
本発明の画像処理装置及び画像形成装置は、スキャナ機能を有しないプリンタ等であっても良い。この場合において、例えば、外部のＰＣと接続されている場合は、このＰＣから送られる画像データに対して上記実施形態と同様に文字列の変換処理を行うようにしても良い。この場合、例えば記憶部のＨＤＤには、ＰＣから送られる画像データが保存される。
【００６７】
また、本発明の画像処理装置は、ＰＣ、オフィスコンピュータ等の情報処理装置であっても良い。この場合において、画像処理装置は、例えば、自身で作成した文書データ等に対して上記実施形態で説明したのと同様の処理を施すとともに、そのような処理が施された文書データ等を自身に備え付けられたディスプレイ等の表示手段に表示したり、或いは、装置自身が有するメモリ等の記憶手段に記憶させておき、自身の表示手段や、ネットワークを介して他の情報処理装置等からアクセスして当該他の情報処理装置が有する表示手段に表示したりすることができる。
【産業上の利用可能性】
【００６８】
本発明は、複写機、プリンタ、ファクシミリ装置及びスキャナ装置としての機能を併せ持つ複合機等の画像形成装置又は、ＰＣ、オフィスコンピュータ等の情報処理装置、携帯電話機、個人用携帯情報端末（ＰＤＡ）等の画像処理装置に適用できる。
【図面の簡単な説明】
【００６９】
【図１】第１実施形態に係る画像形成装置の構成図。
【図２】記憶部が記憶する変換内容テーブル。
【図３】第１実施形態に係る画像形成装置の動作フローチャート。
【図４】図３の各動作における画像データの例。
【図５】図３の各動作における画像データの例。
【図６】図３の各動作における画像データの例。
【図７】図３の各動作における画像データの例。
【図８】第２実施形態に係る画像形成装置の構成図。
【図９】第２実施形態に係る画像形成装置の動作フローチャート。
【図１０】その他の実施例Ａで出力される画像データの例。
【符号の説明】
【００７０】
１、１０１  複合機
２、１０２  原稿読み取り部
３、１０３  文字列認識部
４、１０４  検索部
５、１０５  回数カウント部
６、１０６  変換部
７、１０７  記憶部
７ａ、１０７ａ  変換内容テーブル
８、１０８  画像形成部
１０、１１０  画像処理部
【図１】
2007158453.tif 000003
【図２】
2007158453.tif 000004
【図３】
2007158453.tif 000005
【図４】
2007158453.tif 000006
【図５】
2007158453.tif 000007
【図６】
2007158453.tif 000008
【図７】
2007158453.tif 000009
【図８】
2007158453.tif 000010
【図９】
2007158453.tif 000011
【図１０】
2007158453.tif 000012